(57)【要約】      （修正有）【課題】ふとんの復元力により、ふとん収納袋はほぼ円筒状となり、外見も見苦しくなく、インテリア用品の１つとして扱うことも出来るふとん収納袋の提供。【解決手段】ふとん収納袋１の構造を、底部２を円筒状とし、その底部２と平面状の側部４と端部５とで囲まれた空間を収容部とし、そこへ小さく畳んだふとんを矢印Ａのように入れて、ふた部９でふたをするという構造とする。２つのバンド７は締結具８により締結され、ふとんが外に出ないようにする。ふた部９でふたをする際、中に入れたふとんを適宜押えながら、オープンファスナー１０と３とを係合する。【選択図】図１
0003126112.tif 000002
【実用新案登録請求の範囲】
【請求項１】
ふとんを折り畳んで収納するためのふとん収納袋において、
半円筒状の底部（２）と、
該底部の両側の直線部分にそれぞれ一辺が接続された長方形の側部（４）２つと、
両端が半円形とされ、一方の半円形部分は前記底部の半円形部分に接続され、他方の半円形部分にはつば部（６）が接続されている細長の端部（５）２つと、
前記２つの側部（４）の内のいずれか一方を延長する形で接続されたふた部（９）と、
前記つば部（６）の一方に一端が接続された第１のバンドと、
前記つば部（６）の他方に一端が接続され、先端に締結具（８）が固着された第２のバンドと、
前記底部（２）と側部（４）との境界付近に取り付けられた第１のオープンファスナー（３）と、
前記ふた部（９）の端に取り付けられた第２のオープンファスナー（１０）と
を具えたことを特徴とするふとん収納袋。
【考案の詳細な説明】
【技術分野】
【０００１】
本考案は、羽毛ふとん等のふとんを収納するための、ふとん収納袋に関するものである。
【背景技術】
【０００２】
夏が過ぎたら、それまで使っていた夏ぶとんはもう使わなくなるから、来年の夏まで何らかの方法で保管収納しておくというように、季節にくっきりとした差がある日本では、使用する季節が過ぎたふとんは、来年その季節が来るまで保管収納しておくことが行われている。
ふとんの従来の保管収納の仕方にはいろいろあるが、例えば次のようなものがある。
（１）畳んでそのまま押入れに収納
（２）布製のふとん袋に収納（そのふとん袋は押入れ或いは物置等に入れておく）
（３）畳んで部屋の隅に積んでおく
（４）ビニル製の空気圧縮ふとん袋に収納（それを押入れに入れておく）
【考案の開示】
【考案が解決しようとする課題】
【０００３】
家が大きくて押入れが沢山あったり、大きな物置や蔵があったりするような家であれば、前記した（１）や（２）の収納の仕方を採用することが出来る（つまり、押入れに入れておいたり、ふとん袋に入れて押入れや物置等に入れておいたりすることが出来る）。
これに対し、都会の家や独身者等の小家族が借りているアパートは、しばしば家のサイズも小さく、収納箇所も少ない。そのため、止むなく前記した（３）や（４）の収納の仕方を採用している場合が多い（つまり、畳んで部屋の隅に積んでおくとか、空気圧縮ふとん袋に入れて圧縮し、押入れに入れておいたりしている）。
【０００４】
しかし、畳んで部屋の隅に積んでおくという収納方法では、部屋がいかにも雑然とした状態となり、きちんと片づいているという清潔感を感じさせない上、ただでさえ狭い室内を一層狭くしてしまうという問題点がある。
また、空気圧縮ふとん袋に入れて圧縮し、体積を小さくして収納するという収納方法は、収納スペースが少なくて済むということで、ひと頃盛んにもてはやされた。しかし、これは柔らかいふとんを、固い板状となる程に強く圧縮するものなので、復元して使う際、ふとんが元のように柔らかくは復元しないという問題点や、羽毛ふとんの場合には圧縮により羽が折られて品質が悪くなってしまうというような問題点があることが、判明して来ている。
本考案は、以上のような問題点を解決することを課題とするものである。
【課題を解決するための手段】
【０００５】
前記課題を解決するため、本考案では、ふとんを折り畳んで収納するためのふとん収納袋の構成を、半円筒状の底部（２）と、該底部の両側の直線部分にそれぞれ一辺が接続された長方形の側部（４）２つと、両端が半円形とされ、一方の半円形部分は前記底部の半円形部分に接続され、他方の半円形部分にはつば部（６）が接続されている細長の端部（５）２つと、前記２つの側部（４）の内のいずれか一方を延長する形で接続されたふた部（９）と、前記つば部（６）の一方に一端が接続された第１のバンドと、前記つば部（６）の他方に一端が接続され、先端に締結具（８）が固着された第２のバンドと、前記底部（２）と側部（４）との境界付近に取り付けられた第１のオープンファスナー（３）と、前記ふた部（９）の端に取り付けられた第２のオープンファスナー（１０）とを具えた構成とした。
【考案の効果】
【０００６】
本考案のふとん収納袋によれば、次のような効果を奏する。
（１）ふとん収納袋に軽く押し込んで収納するので、単に畳んでいる場合の体積より小さくすることが出来る（羽毛ふとんの場合、３分の１位の体積に）。
（２）ふとんを収納した状態のふとん収納袋はほぼ円筒状となり、外見上見苦しくなく、部屋の隅にでも立てて置くことが出来るので、インテリア用品の１つとして扱うことが可能となる（例えば、クッションとしても使える）。
（３）強い圧縮力をかけて長期間保管するわけではないので、ふとん収納袋から出して使う際、元のように復元してくれる。また、羽毛ふとんを収納した場合でも、羽が折られる程の強い力が加えられるわけではないので、羽を傷めることがなく、羽毛ふとんの品質が悪化することもない。
【考案を実施するための最良の形態】
【０００７】
以下、本考案の実施形態を図面に基づいて詳細に説明する。
図１は、本考案のふとん収納袋を示す図である。図１において、１はふとん収納袋、２は底部、３はオープンファスナー、４は側部、５は端部、６はつば部、７はバンド、８は締結具、９はふた部、１０はオープンファスナーである。
底部２はふとん収納袋１の底の部分を成しており、半円筒状に湾曲させられた形状とされている。従って、底部２は、半円形の縁と直線の縁とを２つづつ有している。端部５は、両端が半円形とされた細長の形状をしている。底部２の半円形の縁には端部５の半円形の一端が接続され、底部２の直線の縁には長方形の側部４が接続される。そして、端部５と側部４の隣接する縁同士も接続され、これにより、矢印Ａのようにふとんを入れることが出来る収容空間が形成される。
【０００８】
端部５の他端（底部２と接続する端とは反対側にある端）の半円形の縁には、収容空間の入口側に向かって適宜の幅でせり出すつば部６が設けられる。両側のつば部６には、それぞれバンド７の一端が接続され、いずれか一方のバンド７の先端には、締結具８が取り付けられる。この締結具８は、他方のバンド７と締結を行うためのものである。バンド７により締結を行う目的の１つは、ふとん収納袋１に入れたふとんが、外に出て来ないようにすることである。
【０００９】
ふた部９は、ふとん収納袋１の入口（矢印Ａが書いてある開口部）を塞ぐためのものであり、一方の側部４に接続されている（図１では下側に隠れている側部）。ふた部９の自由端となっている縁には、オープンファスナー１０が取り付けられる。また、ふた部９に隣接している側部４とは反対側の側部４の適宜箇所には、オープンファスナー１０の係合相手となるオープンファスナー３が取り付けられる（図１の例では、底部２と側部４との境界付近に取り付けられている。）。
【００１０】
ふとん収納袋１にふとんを入れた後、オープンファスナー１０をオープンファスナー３に係合して、袋を閉じる。オープンファスナーを係合する際、中に入れたふとんを手で適宜押え付ける必要があるが、その時、ふとん収納袋１の入口部分は外方へ開き勝ちとなり、ふとん収納袋１の全体の姿がひしゃげたものとなる恐れがある。しかし、本考案ではバンド７の締結により、入口部分は外方へ開かないようにされているから、ふとん収納袋１の姿がひしゃげることがない。
【００１１】
以下、ふとんを本考案のふとん収納袋に入れ終わるまでについて説明する。
図２は、ふとんの畳み方の１例を示す図であり、１１はふとんである。本考案のふとん収納袋１にふとん１１を入れる場合、まず、ふとん１１をふとん収納袋１のサイズまで小さく畳む必要がある。図２（１）では最初にふとん１１を３つに折り畳み、次に図２（２）でそれを半分に折り畳んでいる。
【００１２】
図３は、本考案のふとん収納袋１へのふとん１１の収納の仕方を説明する図であり、符号は図１，図２のものに対応している。ふとん収納袋１の入口は図１で説明したように矢印Ａの部分であるので、小さく畳んだふとん１１を矢印Ｂのようにそこへ持って来て入れる。
図４は、ふとん１１を収納してバンド７を締結した状況を示す図であり、符号は図１，図２のものに対応している。ふとん１１をふとん収納袋１に収納した後、バンド７を締結具８により締結する。これにより、ふとん１１が外へ出るのが防止出来るし、入口開口部が外方へ開くのを防止出来る。
【００１３】
図５は、ふとんの収納を完了したふとん収納袋１を示す図である。図４の状態にした後、中に入れたふとんを手で適宜押え付けつつ、オープンファスナー１０をオープンファスナー３に係合する。この状態でふとんに加えられる力は、空気圧縮ふとん袋で加えられる力よりはるかに小さく、次に使う場合に、元の状態に復元するに充分な復元力を保持するものであると共に、羽毛ふとんの羽を折るような力ではない。
このようにしたふとん収納袋１は、中のふとんが膨らもうとする復元力で膨らんで、ほぼ円筒状になる。その結果、人の目に触れる部屋内に置いておいても決して見苦しくはなく、１つのインテリア商品といった雰囲気を醸しだす。実用的にも、必要に応じてクッション等として利用することが出来るといった利点もある。
【００１４】
図６は、本考案のふとん収納袋の作り方の１例を示す図であり、符号は図１のものに対応している。本考案のふとん収納袋についての上記の説明では、底部２，側部４，ふた部９をバラバラに作っておき、それらを接続して袋を構成するとして来た。しかし、これらの幅は全て同じであるので、図６に示すように、これらをつないだ長さ分の１枚の部材で構成しても良い。
【００１５】
即ち、次の３種類の部材を用意することで、ふとん収納袋の本体を作ることが出来る。（１）側部４→底部２→側部４→ふた部９の順に展開した長さを有する１枚の部材
（２）端部５の部材（両端が半円形）を２つ
（３）つば部６の部材を２つ
そして、矢印で示すように、端部５の一方の半円形部分は、底部２に接続する。端部５の上側と下側の直線部分は、それぞれ側部４に接続する。端部５の他方の半円形部分は、つば部６と接続する。下方の端部５，つば部６も、同様の要領で接続する。
【００１６】
更に、側部４と底部２の境界付近（の外面側）にはオープンファスナー３を取付け、ふた部９の端にはオープンファスナー１０を取り付ける。なお、図６では示してないが、バンド７をつば部６に固着する。
ところで、ふとん収納袋に使用する部材としては、丈夫で通気性が良いことが望まれるから、荒い綿布等が適する。また、インテリア用品としての観点から、居室に置くに相応しい色や模様が施されるのが望ましい。
【００１７】
以上述べたことより明らかなように、本考案のふとん収納袋ではふとんを軽く押し込んで収納するので、単に畳んでいる場合の体積より小さくすることが出来る（羽毛ふとんの場合、３分の１位の体積に出来る）。また、ふとんを収納した状態のふとん収納袋はほぼ円筒状となり、外見が見苦しくないので、押入れに入れて隠す必要はなく、部屋の隅にでも立ててインテリア用品とすることが出来る。更に、空気圧縮ふとん袋のように強い圧縮力をかけているわけではないので、ふとん収納袋から出して使う際、元の状態に復元してくれるし、羽毛ふとんの場合でも羽が折られるわけではないので、品質が悪化することはない。
【図面の簡単な説明】
【００１８】
【図１】本考案のふとん収納袋を示す図
【図２】ふとんの畳み方の１例を示す図
【図３】本考案のふとん収納袋へのふとんの収納の仕方を説明する図
【図４】ふとんを収納してバンドを締結した状況を示す図
【図５】ふとんの収納を完了したふとん収納袋を示す図
【図６】本考案のふとん収納袋の作り方の１例を示す図
【符号の説明】
【００１９】
１…ふとん収納、２…底部、３…オープンファスナー、４…側部、５…端部、６…つば部、７…バンド、８…締結具、９…ふた部、１０…オープンファスナー、１１…ふとん
【図１】
0003126112.tif 000003
【図２】
0003126112.tif 000004
【図３】
0003126112.tif 000005
【図４】
0003126112.tif 000006
【図５】
0003126112.tif 000007
【図６】
0003126112.tif 000008